【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
認識部で認識される、操作者の位置と、当該操作者の操作手段の位置と、に基づいて当該操作者の操作手段に対応する表示情報の表示位置を算出する算出部と、
上記算出部が算出した上記表示位置に、上記表示情報を表示させる制御部と
を具える情報処理装置。
【請求項２】
上記算出部は、
画面に設定される画面座標系での上記操作者の位置に基づいて操作者座標系の原点を定め、当該操作者座標系の原点からの上記操作手段の位置に所定の関数を乗ずることで、当該操作手段に対応する表示情報の上記画面座標系での表示位置を算出する
請求項１に記載の情報処理装置。
【請求項３】
上記認識部は、
カメラ画像から上記操作者の位置と上記操作手段の位置とを認識し、
上記算出部は、
上記画面座標系と同一座標系として設定された上記カメラ画像の画像座標系での上記操作者の位置を操作者座標系の原点とし、当該操作者座標系の原点からの上記操作手段の位置に所定の関数を乗じて、当該操作手段に対応する表示情報の画面座標系での表示位置を算出する
請求項２に記載の情報処理装置。
【請求項４】
さらに上記操作手段の操作範囲を判別する判別部を具え、
上記算出部は、
上記判別部により判別された操作範囲と上記画面のサイズとに基づく関数を、上記操作者座標系の原点からの上記操作手段の位置に乗じる
請求項３に記載の情報処理装置。
【請求項５】
上記操作手段の位置は、上記操作者の手の位置であり
上記認識部は、
上記カメラ画像から上記操作者の体の大きさを認識し、
上記判別部は、
上記認識部により認識された上記操作者の体の大きさをもとに、上記操作者の位置から手が届く範囲を推定して、当該範囲を上記操作手段の操作範囲とする
請求項４に記載の情報処理装置。
【請求項６】
上記認識部は、
上記カメラ画像から上記操作者の顔を認識し、
上記判別部は、
上記認識部により認識された上記操作者の顔から当該操作者の年齢を推定して、当該年齢をもとに、当該顔の大きさから体の大きさを推定する
請求項５に記載の情報処理装置。
【請求項７】
上記認識部は、
上記カメラ画像から上記操作手段によるジェスチャ操作を認識し、
上記判別部は、
上記認識部により上記操作範囲を指定する為のジェスチャ操作が認識されると、当該ジェスチャ操作により示された範囲を上記操作範囲とする
請求項４に記載の情報処理装置。
【請求項８】
上記画面座標系は、上下左右方向にくわえて奥行き方向を有する３次元座標系であり、
上記認識部は、
カメラ画像から上記操作者の位置及び体の大きさと、上記操作手段の位置とにくわえて、当該操作者の位置から当該操作手段までの距離を認識し、
上記算出部は、
上記画像座標系での上記操作者の位置を操作者座標系の原点とし、当該操作者座標系の原点からの上記操作手段の位置に所定の関数を乗じて、当該操作手段に対応する表示情報の画面座標系での上下左右方向の表示位置を算出すると共に、上記操作者の位置から上記操作手段までの距離に所定の関数を乗じて、当該操作手段に対応する表示情報の画面座標系での奥行き方向の表示位置を算出し、
上記判別部は、
上記認識部により認識された上記操作者の体の大きさをもとに上記操作者の位置から手が届く上下左右方向の範囲と奥行き方向の範囲を推定して、当該範囲を上記操作手段の操作範囲とする
請求項５に記載の情報処理装置。
【請求項９】
上記認識部は、
カメラ画像から上記操作者の腕の長さを認識し、
上記判別部は、
上記操作範囲の奥行き方向の範囲を、腕の長さ／√２の範囲とする
請求項８に記載の情報処理装置。
【請求項１０】
情報処理装置が、
認識部で認識される、操作者の位置と、当該操作者の操作手段の位置と、に基づいて当該操作者の操作手段に対応する表示情報の表示位置を算出し、
算出した上記表示位置に、上記表示情報を表示させる
表示制御方法。
【請求項１１】
コンピュータに、
認識部で認識される、操作者の位置と、当該操作者の操作手段の位置と、に基づいて当該操作者の操作手段に対応する表示情報の表示位置を算出する算出ステップと、
上記算出ステップで算出した上記表示位置に、上記表示情報を表示させる表示ステップと
を実行させるための表示制御プログラム。
【手続補正２】
【補正対象書類名】明細書
【補正対象項目名】発明の名称
【補正方法】変更
【補正の内容】
【発明の名称】情報処理装置、表示制御方法及び表示制御プログラム
【手続補正３】
【補正対象書類名】明細書
【補正対象項目名】０００１
【補正方法】変更
【補正の内容】
【０００１】
本発明は、情報処理装置、表示制御方法及び表示制御プログラムに関し、例えば、複数の操作者が同時に操作し得るＧＵＩ（Graphical  User  Interface）を実装する表示制御装置に適用して好適なものである。
【手続補正４】
【補正対象書類名】明細書
【補正対象項目名】０００９
【補正方法】変更
【補正の内容】
【０００９】
本発明は以上の点を考慮してなされたもので、同時に操作する操作者の数に依らず良好な操作性を得ることのできる情報処理装置、表示制御方法及び表示制御プログラムを提案しようとするものである。
【手続補正５】
【補正対象書類名】明細書
【補正対象項目名】００１０
【補正方法】変更
【補正の内容】
【００１０】
かかる課題を解決するため本発明においては、認識部で認識される、操作者の位置と、当該操作者の操作手段の位置と、に基づいて当該操作者の操作手段に対応する表示情報の表示位置を算出する算出部と、算出部が算出した表示位置に、表示情報を表示させる制御部とを設けるようにした。
【手続補正６】
【補正対象書類名】明細書
【補正対象項目名】００１１
【補正方法】変更
【補正の内容】
【００１１】
これにより、例えば複数の操作者が存在する場合に、各操作者の位置と各操作者の操作手段の位置とに基づいて操作者ごとに算出された、各々の操作手段に対応する表示位置に、各々の操作手段により操作される表示情報を表示することができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、例えば複数の操作者が存在する場合に、各操作者の位置と各操作者の操作手段の位置とに基づいて操作者ごとに算出された、各々の操作手段に対応する表示位置に、各々の操作手段により操作される表示情報を表示することができる。かくして、同時に操作する操作者の数に依らず良好な操作性を得ることのできる情報処理装置、表示制御方法及び表示制御プログラムを実現できる。
【手続補正９】
【補正対象書類名】明細書
【補正対象項目名】０１１５
【補正方法】変更
【補正の内容】
【０１１５】
ゆえに、ＣＰＵ１１１は、操作者Ａの中心位置から見て遠い方の端と操作者Ａの位置までの長さ｜ｂｙ｜＋１を、操作者Ａの上下方向の操作範囲ｌｙ／２で割り、この結果を、上下方向のスケーリングの割合ｓｙとする。このときこのｓｙは、次式（８）で表される。
【手続補正１０】
【補正対象書類名】明細書
【補正対象項目名】０１５８
【補正方法】変更
【補正の内容】
【０１５８】
このようにしてポインタＰｏの位置を算出した後、ＣＰＵ１１１は、次のステップＳＰ８に移る。ステップＳＰ８においてＣＰＵ１１１は、ＧＵＩ画面１３０上の、ステップＳＰ７で算出した位置にポインタＰｏを表示させ、再びステップＳＰ３に戻る。